(57)【特許請求の範囲】
【請求項１】
外ドラム（１）、前記外ドラム（１）内部に設けられた加熱器（３）、および、前記加熱器（３）に向かって水を噴射する噴霧器（４）を含む、スチーム洗濯機能を有する洗濯機であって、
前記噴霧器（４）および前記加熱器（３）は対応して密着する、または、間隔を開けて設置され、前記噴霧器（４）の対応する側に、前記加熱器（３）に向かって水を噴射する複数の噴霧孔（７）が配置され、
前記噴霧器（４）は、前記加熱器（３）と同じ形状の管路（４０）からなり、各前記噴霧孔（７）は前記管路（４０）の軸方向に沿って間隔を開けて配置され、
前記加熱器（３）が表面に噴射された水を加熱して気化し、高温蒸気を形成することを特徴とする洗濯機。
【請求項２】
前記加熱器（３）は空気を加熱することができるか、または水および空気をそれぞれ加熱することができることを特徴とする、請求項１に記載の洗濯機。
【請求項３】
前記加熱器（３）は前記外ドラム（１）底部に設けられ、前記噴霧器（４）は前記加熱器（３）の対応する上方に設けられることを特徴とする、請求項１または２に記載の洗濯機。
【請求項４】
前記噴霧器（４）は接続管（５）を介して洗濯機の取水構造（６）と通じ、前記接続管（５）に噴霧水の流量を制御する制御弁（１４）が設けられることを特徴とする、請求項１から３のいずれか１項に記載の洗濯機。
【請求項５】
請求項１から４のいずれか１項に記載の洗濯機の制御方法であって、前記外ドラム（１）内部の前記加熱器（３）に水を噴射し、前記加熱器（３）が噴霧水を加熱して気化させ、前記外ドラム（１）内に気化した蒸気を生成し、蒸気が内ドラム中の衣類を加熱し、湿らせることを特徴とする制御方法。
【請求項６】
洗濯機が通常の洗濯プログラムを実行する前に、先に加熱状態の前記加熱器（３）に水を噴射して、前記外ドラム（１）内に高温蒸気を生成し、衣類を加熱し、湿らせる処理を一定時間行ってから、通常の洗濯プログラムを開始することを特徴とする、請求項５に記載の制御方法。
【請求項７】
前記加熱器（３）に水を噴射して高温蒸気を生成する過程において、前記内ドラムが同時に一定の回転停止比で回転することを特徴とする、請求項５または６に記載の制御方法。
【請求項８】
前記加熱器（３）に水を噴射して高温蒸気を生成する過程において、前記加熱器（３）は一定時間ｔ１動作するごとに、一定時間ｔ２動作を停止することを特徴とする、請求項５から７のいずれか１項に記載の制御方法。
【請求項９】
前記加熱器（３）に水を噴射して高温蒸気を生成する過程において、前記外ドラム（１）の取水、出水管路がいずれも遮断状態にあり、高温蒸気は密閉された前記外ドラム（１）の内部空間に充満することを特徴とする、請求項５から８のいずれか１項に記載の制御方法。
【請求項１０】
前記加熱器（３）に水を噴射する前に、先に前記外ドラム（１）内に取水し、取水水位の高さは前記加熱器（３）より低いことを特徴とする、請求項５から９のいずれか１項に記載の制御方法。
【発明の詳細な説明】
【技術分野】
【０００１】
本発明は洗濯分野の洗濯機に関し、具体的にスチーム洗濯機能を有する洗濯機に関し、さらに上記洗濯機の制御方法に関する。
【背景技術】
【０００２】
消費者の需要に合わせるため、例えばスチーム洗浄、殺菌、消臭などの洗濯機の付加機能は尽きることがない。既存の洗濯機製品において、スチーム洗浄機能を実現する方式は以下の２種に分けられる。
１つは、洗濯機外ドラム中の加熱器を外ドラム中の洗濯水に浸漬して、洗濯水を加熱し、これにより蒸気を生成する。しかし、この種の方式を採用した洗濯機は、外ドラム中の洗濯水の総量が比較的多いため、加熱速度が比較的遅く、蒸気の生成量が少なくなり、効果は理想的ではない。
【０００３】
もう１つは、洗濯機に専用の蒸気発生器を設置する。発生器中で水を高温の蒸気に気化した後、蒸気を外ドラム中に通し、これにより衣類の急速洗浄、殺菌および消臭機能を実現する。
【０００４】
中国特許出願番号第２００５１００８３６２６号は、洗濯機の蒸気発生装置を説明しており、水を入れる収容空間を有する筐体と；筐体内に設置され、筐体内に入れた水を加熱する加熱器とを含む。洗濯機に単独の蒸気発生装置を設置することにより、水を利用して蒸気を生成することを実現する。さらに蒸気を洗濯機の外ドラム中に流入させ、蒸気を利用して内ドラム中の衣類を高温消毒処理する目的を実現する。
【０００５】
洗濯機に蒸気発生器を単独で設置する上記案では、蒸気の生成量は比較的多く、衣類に対する洗浄、消毒効果は比較的良好である。しかし、蒸気発生器を単独で設置する必要があるため、洗濯機の生産コストは増加する。同時に、単独で設置した蒸気発生器が洗濯機の内部空間を占拠することにより、洗濯機の全体寸法が大きくなり、内ドラムの容量が小さくなる。
【０００６】
このことを考慮して、特に本発明を示す。
【先行技術文献】
【特許文献】
【０００７】
【特許文献１】中国特許出願番号第２００５１００８３６２６号明細書
【発明の概要】
【発明が解決しようとする課題】
【０００８】
本発明が解決しようとする技術的問題は、既存技術の不足を克服することであり、スチーム洗濯機能を有する洗濯機を提供する。外ドラム中で蒸気を生成して衣類を高温消毒し、急速に湿らせる目的を実現する。もう１つの目的は、外ドラム中の加熱器を利用して、大量の蒸気を急速に生成する目的を達成することである。
【課題を解決するための手段】
【０００９】
上記技術的問題を解決するため、本発明が採用した技術案の基本的構想は以下の通りである。
スチーム洗濯機能を有する洗濯機は外ドラムを含み、外ドラム内部に加熱器が設けられる。加熱器に向かって水を噴射する噴霧器をさらに含み、加熱器が表面に噴射された水を加熱して気化し、高温蒸気を形成する。
【００１０】
さらに、噴霧器および加熱器は対応して密着するか、または間隔を開けて設置され、噴霧器の対応する側に、加熱器に向かって水を噴射する複数の噴霧孔が配置される。
【００１１】
さらに、前記加熱器は空気を加熱することができるか、または水および空気をそれぞれ加熱することができる加熱器である。好ましくは、加熱器は既存の洗濯機で洗濯水を加熱する加熱器である。
【００１２】
さらに、前記噴霧器は加熱器と同じ形状の管路からなり、各噴霧孔は管路の軸方向に沿って間隔を開けて配置される。
【００１３】
さらに、加熱器および噴霧器は、いずれも洗濯機の外ドラムおよび内ドラムの間に設けられる。前記加熱器は外ドラム底部に設けられ、前記噴霧器は加熱器の対応する上方に設けられる。好ましくは、外ドラム底部に下に凹んだくぼみが設けられ、前記加熱器および噴霧器はいずれもくぼみ中に設けられる。
【００１４】
さらに、噴霧器は接続管を介して洗濯機の取水構造と通じ、接続管に噴霧水の流量を制御する制御弁が設けられる。
【００１５】
好ましくは、噴霧器を構成する管路の両端は、三方管を介していずれも接続管と通じる。これにより噴霧器は２つの方向から同時に取水することができ、噴霧効率が上昇する。
【００１６】
本発明のもう１つの目的は、上記のいずれか１つに記載の洗濯機の制御方法を提供することである。外ドラム中の加熱器を加熱して気化を行い、外ドラム内に気化した蒸気を生成し、蒸気が内ドラム中の衣類を加熱し、湿らせることを特徴とする。
【００１７】
さらに、先に加熱器を通電して加熱状態にしてから、噴霧器が加熱器に水を噴射する必要がある。非加熱状態の加熱器が噴霧水を速やかに気化することができず、外ドラム中に水が溜まるのを防止する。
【００１８】
洗濯機が通常の洗濯プログラムを実行する前に、先に加熱状態の加熱器に水を噴射して、外ドラム中に高温蒸気を生成する。衣類を加熱し、湿らせる処理を一定時間行ってから、通常の洗濯プログラムを開始する。前記通常の洗濯プログラムは取水、洗濯、すすぎ、脱水、乾燥などの工程のうち１つまたはその組合せを含む。したがって、衣類がまず蒸気により急速に浸潤、高温消毒されてから、通常の洗濯を開始することにより、衣類の洗浄効率を高める。
【００１９】
さらに、加熱器に水を噴射して高温蒸気を生成する過程において、内ドラムが同時に一定の回転停止比で回転し、衣類および蒸気の接触を増大させる。
【００２０】
さらに、加熱器に水を噴射して高温蒸気を生成する過程において、加熱器は一定時間ｔ１動作するごとに、一定時間ｔ２動作を停止し、加熱器が過熱して空だきが生じるのを防止する。好ましくは、前記ｔ１は２０ｓ、ｔ２は２０ｓである。
【００２１】
さらに、加熱器に水を噴射して高温蒸気を生成する過程において、外ドラムの取水、出水管路はいずれも遮断状態にあり、高温蒸気は密閉された外ドラムの内部空間に充満する。
【００２２】
さらに、加熱器に水を噴射する前に、先に外ドラム中に取水する。取水水位の高さは加熱器より低く、これにより加熱器が過熱して、洗濯機の底部が焼損するのを防止する。
【発明の効果】
【００２３】
上記技術案を採用すると、本発明は既存技術と比較して、以下の有益な効果を有する。
１、加熱器部分に、加熱器に向かって水を噴射する噴霧器が設置され、加熱器は噴霧水を急速に加熱、気化させて、大量の蒸気を形成することができ、外ドラム中に蒸気を生成する目的を実現した。洗濯機に、スチーム洗浄、衣類の乾燥、殺菌消毒、消臭およびアイロンがけなどの機能を持たせ、効果は顕著である。
２、上記設置により、加熱器は外ドラム中の洗濯水を加熱する、および大量の蒸気を急速に生成するという２つの効果を有し、専用の蒸気発生装置を追加することを回避した。これにより洗濯機のコストを低下させることができるだけでなく、洗濯機の消費電力量を減少させることができる。
３、加熱器を外ドラム底部に設け、熱風の上昇原理を利用して、生成した蒸気を密閉された外ドラム中の全領域に満たし、衣類を蒸気と充分に接触させることができる。さらに、外ドラム中に蒸気を満たすとき、内ドラムを回転させることにより、衣類を転がし、衣類および蒸気の接触面積を増加させ、洗浄効率を上昇させる。
４、さらに、本発明の構造は簡単で、方法は簡潔であり、効果は顕著で、幅広い使用に適している。
【図面の簡単な説明】
【００２４】
【図１】図１は、本発明の実施例における洗濯機の構造概要図である。
【図２】図２は、本発明の実施例における外ドラムの構造概要図である。
【図３】図３は、図２におけるＡ−Ａ断面の構造概要図である。
【図４】図４は、本発明の実施例における噴霧器の構造概要図である。
【図５】図５は、本発明の実施例における噴霧器および加熱器の分解構造の概要図である。
【発明を実施するための形態】
【００２５】
以下、図を組み合わせて、本発明の発明を実施するための形態について、さらに詳細に記載する。
【００２６】
図１から図５に示すように、本発明の実施例において、スチーム洗濯機能を有する洗濯機を説明している。外ドラム１および内ドラム２を含み、外ドラム１および内ドラム２の間に加熱器３が設けられる。前記加熱器３は外ドラム１中に流入した洗濯水を加熱処理することができ、洗濯水の温度を上昇させる。前記洗濯機は、加熱器３に向かって水を噴射する噴霧器４をさらに含み、加熱器３は表面に噴射された水を加熱して気化し、高温蒸気を形成する。蒸気は、内ドラム２中の衣類を加熱し、湿らせる。
【００２７】
加熱器３部分に、加熱器に向かって水を噴射する噴霧器４を設置することにより、加熱器３は噴霧水を急速に加熱、気化させて、大量の蒸気を形成することができる。外ドラム１内に生成された蒸気を利用して、内ドラム２中の衣類を加熱し、湿らせることができ、洗濯機に、スチーム洗浄、衣類の乾燥、殺菌消毒、消臭およびアイロンがけなどの機能を持たせ、効果は顕著である。さらに、加熱器３は外ドラム１中の洗濯水を加熱する、および大量の蒸気を急速に生成するという２つの効果を有し、専用の蒸気発生装置を追加する必要性を回避した。これにより洗濯機のコストを低下させることができるだけでなく、洗濯機の消費電力量を減少させることができる。
【実施例】
【００２８】
実施例１
図１から図４に示すように、本実施例において、前記噴霧器４および加熱器３は対応して密着するか、または間隔を開けて設置され、噴霧器４の対応する側に、加熱器３に向かって水を噴射する複数の噴霧孔７が配置される。好ましくは、噴霧孔７がカバーする面積を高めるため、噴霧器４および加熱器３を一定の間隔を開けて設置する。同時に、隣接する噴霧孔７間の距離を、噴霧水流がカバーする面積の直径より小さくすることにより、加熱器３の各部分はいずれも噴霧水と接触することができ、これにより蒸気発生効率を高める。
【００２９】
図４および図５に示すように、本実施例において、前記加熱器３は「Ｓ」状に旋回する複数部分の加熱管からなる。前記噴霧器４は、上記加熱管の形状と完全に同じ管路４０からなり、該管路４０に、加熱器４に向かって水を噴射する複数の噴霧孔７が軸方向に沿って等間隔に配置される。噴霧器を加熱器と同じ形にすることにより、噴霧水流の加熱器に対するカバー面積を増大させ、蒸気生成効率を高める。加熱器に死角が存在し、噴霧水流が全てカバーすることができなくなるのを防止する。
【００３０】
図４に示すように、本実施例において、噴霧器４を構成する管路４０の両端は、いずれも同じ三方管９を介して接続管５と通じ、接続管５は洗濯機の取水構造６と通じる。これにより、水流は管路４０の両端から同時に進入することができ、噴霧器４中における水流の流動経路の長さが短くなり、各噴霧孔７の出水圧力は相対してつり合う。噴霧器の水噴射の安定性を高め、蒸気生成速度を速める目的を達成する。
【００３１】
本実施例において、接続管５に流量を制御する制御弁１４を設け、噴霧器の取水流量の調節を実現し、噴霧水流がカバーする面積を間接的に調整する目的を達成する。
【００３２】
実施例２
図１に示すように、本実施例において、前記加熱器３および噴霧器４は、いずれも外ドラム１および内ドラム２の間に設けられる。加熱器３部分に生成される蒸気は、内ドラム２に設けられる脱水孔などから内ドラム２の内部空間に流入することができ、内ドラム２中の衣類にスチーム洗浄、殺菌消毒、消臭などの処理を行う。
【００３３】
図２および図３に示すように、本実施例において、前記加熱器３は外ドラム１底部に設けられ、前記噴霧器４は加熱器３の対応する上方に設けられ、噴霧孔７は噴霧器４の下表面に設けられる。蒸気は、密度が比較的低いため、外ドラム１中で上に移動する。加熱器３を外ドラム１底部に設けることにより、外ドラム１中に生成された蒸気は、外ドラム１の内部空間に均等に分布し、衣類は蒸気と充分に接触することができる。
【００３４】
図１に示すように、本実施例において、外ドラム１は取水管１２を介して取水構造６と通じ、排水管１３を介して外部と通じる。前記取水管１２に管路の導通、遮断を制御する取水ポンプ１０が設けられ、排水管１３に管路の導通、遮断を制御する排水ポンプ１１が設けられる。噴霧器４が加熱器３に向かって水を噴射するとき、取水ポンプ１０および排水ポンプ１１はいずれも停止状態にあり、外ドラム１の内部空間を密閉する。これにより、生成された蒸気は外ドラムに均等に充満することができ、蒸気が流出するのを防止する。
【００３５】
好ましくは、図１から図３に示すように、外ドラム１底部に下に凹んだくぼみ８が設けられ、前記加熱器３および噴霧器４はいずれもくぼみ８中に設けられる。これにより、加熱器３および噴霧器４はいずれも内ドラム２との間に一定の間隙が設けられ、相互に接触して摩擦するのを防止する。さらに、洗濯機の動作過程において、内ドラム２に揺れが生じても、くぼみ８中の加熱器および噴霧器４に衝突することはなく、噴霧器および加熱器が故障する確率を低下させる。
【００３６】
実施例３
本実施例において、洗濯機は高温蒸気を生成する対応過程を有し、該過程は具体的に以下の工程を含む。
１）外ドラムの取水管および出水管を遮断し、外ドラムの内部空間を密閉する。
２）洗濯機が噴霧器に取水し、噴霧器は加熱器に向かって水を噴射する。加熱器が動作を開始して高温蒸気を生成し、密閉された外ドラムの内部空間に蒸気が充満する。
３）工程２）を実行するのと同時に、内ドラムが一定の回転停止比で回転する。
【００３７】
上記方法により、外ドラムの内部空間は急速、均等に蒸気を充満させることができる。蒸気を利用して衣類を加熱し、湿らせることができ、洗濯機に、スチーム洗浄、衣類の乾燥、殺菌消毒、消臭およびアイロンがけなどの機能を持たせ、効果は顕著である。
【００３８】
本実施例において、上記工程１）から３）は、既存の洗濯機における通常の洗濯プログラムと組み合わせることができ、これにより衣類の清潔さを高め、ユーザの選択を豊富にする。具体的な方式は以下の通りである。
１０）洗濯機内に衣類を投入して、起動する。
２０）洗濯機は先に上記工程１）から３）を実行し、衣類を加熱し、湿らせる処理を一定時間行う。
３０）ユーザが選択した、および／または洗濯機が自動判定した通常の洗濯プログラムを開始する。該プログラムは取水、洗濯、すすぎ、脱水、乾燥などの工程のうちの１つまたはその組合せを含むことができる。
【００３９】
これにより、洗濯機は衣類を通常に洗濯する機能を有する以外に、スチーム洗浄、衣類の乾燥、殺菌消毒、消臭およびアイロンがけの効果も備え、ユーザの満足度を高めた。さらに、洗濯機を設定して、選択した、または特定の判断条件下で工程２０）を実行することができる。その他の状況では、工程２０）を飛ばして、通常の洗濯プログラムを直接開始する。
【００４０】
実施例４
本実施例において、上記実施例３の工程２）で、加熱器が過熱して空だきが生じるのを防止するため、加熱器は一定時間ｔ１動作するごとに、一定時間ｔ２動作を停止する必要がある。好ましくは、前記ｔ１は２０ｓ、ｔ２は２０ｓである。これにより、加熱器の温度は過度に高くなることはなく、加熱器を保護し、空だきにより損耗するのを防止する。
【００４１】
本実施例において、加熱器が電気加熱装置であるとき、加熱器の電源を交互にオン、オフするだけで、上記加熱器の過熱保護プログラムを実現することができる。
【００４２】
本実施例において、上記加熱器が動作する時間では、加熱器は加熱器自体が生成する熱量を利用して噴霧水を加熱、気化処理し、高温蒸気を形成する。加熱器が動作を停止する時間では、加熱器は加熱器自体の余熱を利用して噴霧水を加熱、気化し、高温蒸気を形成し、それと同時に噴霧水は加熱器自体の温度を低下させる。上記方式により、加熱器自体の温度が過度に高くなり、空だきにより損傷しないことを保証し、噴霧水の加熱が速やかでなく、外ドラム中に水が貯まることも防止した。
【００４３】
実施例５
本実施例において、上記実施例３および４を基にすると、以下のような違いが存在する。すなわち加熱器に水を噴射する前に、先に外ドラムに取水する。取水水位の高さは加熱器より低い。
【００４４】
本実施例において、洗濯機が高温蒸気を生成する過程の具体的な工程は以下の通りである。
２１）外ドラムに一定量の水を取水する。取水水位は、加熱管の高さより低くする必要がある。
２２）外ドラムの取水管および出水管を遮断し、外ドラムの内部空間を密閉する。
２３）洗濯機が噴霧器に取水し、噴霧器は加熱器に向かって水を噴射する。加熱器が動作を開始して高温蒸気を生成し、密閉された外ドラムの内部空間に蒸気が充満する。
２４）工程２３）を実行するのと同時に、内ドラムが一定の回転停止比で回転する。
【００４５】
加熱器に向かって水を噴射し、蒸気を生成する前に、先に外ドラム中に一定量の水を取水することにより、洗濯機の外ドラム底部を保護する。洗濯機の誤操作により加熱器が過熱して、洗濯機の外ドラム底部が焼損するのを防止する。
【００４６】
本実施例において、水を噴射する前の取水水位の高さが加熱器より低いことを実現するため、加熱器および外ドラム底部の間に一定の高さの間隙を設けることができる。加熱器を外ドラム底部に設けて、外ドラム底部に排水口を設置し、水を噴射する前の取水を排水管（排水口および排水弁の間の部分）中に流入させることもでき、同様に取水の高さが加熱器より低いことを実現することができる。
【００４７】
さらに、本実施例において、上記工程２３）を実行する過程で、加熱器は一定時間ｔ１動作するごとに、一定時間ｔ２動作を停止する。好ましくは、前記ｔ１は２０ｓ、ｔ２は２０ｓである。これにより、加熱器の温度が過度に高くなることはなく、加熱器を保護し、空だきにより損耗するのを防止する。
【００４８】
上記実施例における実施案は、さらに組み合わせるか、または置換することができる。さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４９】
１  外ドラム
２  内ドラム
３  加熱器
４  噴霧器
５  接続管
６  取水構造
７  噴霧孔
８  くぼみ
９  三方管
１０  取水ポンプ
１１  排水ポンプ
１２  取水管
１３  排水管
１４  制御弁
４０  管路
【図１】
0006617892.tif 000002
【図２】
0006617892.tif 000003
【図３】
0006617892.tif 000004
【図４】
0006617892.tif 000005
【図５】
0006617892.tif 000006